(57)【要約】【課題】従来のファクシミリ機においては、人為的ミスにより誤った宛先に書類が送信されてしまう可能性があった。また、複数の宛先への送信機能が備わっているため、本来意図しない宛先への誤送信の可能性を無くすことができない、というセキュリティ上の問題点があった。【解決手段】特定の受信先１ヶ所にのみ送信可能に構成されていることを特徴とするファクシミリ機１０。前記特定の受信先は、予め設定され、前記ファクシミリ機１０の利用者による変更を拒絶するように構成されていることを特徴とするファクシミリ機１０。【選択図】図１
2007116401.tif 000002
【特許請求の範囲】
【請求項１】
特定の受信先１ヶ所にのみ送信可能に構成されていることを特徴とするファクシミリ機。
【請求項２】
前記特定の受信先は、予め設定され、前記ファクシミリ機の利用者による変更を拒絶するように構成されていることを特徴とする請求項１に記載のファクシミリ機。
【請求項３】
前記特定の受信先の電話番号は、不揮発性メモリに記憶されていることを特徴とする請求項１又は２に記載のファクシミリ機。
【請求項４】
前記特定の受信先へ送信されるデータは、暗号化されていることを特徴とする請求項１乃至３のいずれかに記載のファクシミリ機。
【請求項５】
特定の送信元に設けられ、特定の受信先１ヶ所にのみ送信可能に構成された少なくとも１台の第１のファクシミリ機と、
前記特定の受信先に設けられ、前記少なくとも１台の第１のファクシミリ機から送信されるデータを受信可能に構成された１台の第２のファクシミリ機と
を有することを特徴とする機密情報送受信システム。 
【請求項６】
前記少なくとも１台の第１のファクシミリ機は、前記特定の受信先が予め設定され、前記少なくとも１台の第１のファクシミリ機の利用者による変更を拒絶するように構成されていることを特徴とする請求項５に記載の機密情報送受信システム。
【請求項７】
前記特定の受信先の電話番号は、不揮発性メモリに記憶されていることを特徴とする請求項５又は６記載の機密情報送受信システム。
【請求項８】
前記第２のファクシミリ機へ送信されるデータは、暗号化されていることを特徴とする請求項５乃至７のいずれかに記載の機密情報送受信システム。
【請求項９】
特定の送信元に設けられ、特定の受信先１ヶ所にのみ送信可能に構成された少なくとも１台の第１のファクシミリ機と、
前記特定の受信先に設けられ、前記少なくとも１台の第１のファクシミリ機から送信されるデータを受信可能に構成された１台の第２のファクシミリ機と
を用いた機密情報の送受信方法。
【請求項１０】
前記少なくとも１台の第１のファクシミリ機は、前記特定の受信先が予め設定され、前記少なくとも１台の第１のファクシミリ機の利用者による変更を拒絶するように構成されていることを特徴とする請求項９に記載の機密情報の送受信方法。
【請求項１１】
前記特定の受信先の電話番号は、不揮発性メモリに記憶されていることを特徴とする請求項９又は１０に記載の機密情報の送受信方法。
【請求項１２】
前記第２のファクシミリ機へ送信されるデータは、暗号化されていることを特徴とする請求項９乃至１１のいずれかに記載の機密情報の送受信方法。
【発明の詳細な説明】
【技術分野】
【０００１】
本発明は、特に特定の受信先にのみ送信可能なファクシミリ機に関する。
【背景技術】
【０００２】
従来のファクシミリ機においては、書類を送信する際に、宛先のダイヤル番号を押したり予め宛先を記憶させたボタンを押したりする必要があるため、人為的ミスにより誤った宛先に書類が送信されてしまう可能性があった。従来のファクシミリには、複数の宛先への送信機能が備わっており、これに対応するボタン等が複数設けられているため、本来意図しない宛先への誤送信の可能性を無くすことができない、というセキュリティ上の問題点があった。（例えば特許文献１を参照）
【特許文献１】特開平７−９５３３１号公報
【発明の開示】
【発明が解決しようとする課題】
【０００３】
本発明は、このような状況に鑑みてなされたものであり、上記問題点を解決できるファクシミリ機を提供することを目的とする。
【課題を解決するための手段】
【０００４】
本発明は上記課題を解決すべく、以下に掲げる構成とした。
請求項１記載の発明の要旨は、特定の受信先１ヶ所にのみ送信可能に構成されていることを特徴とするファクシミリ機に存する。
請求項２記載の発明の要旨は、前記特定の受信先は、予め設定され、前記ファクシミリ機の利用者による変更を拒絶するように構成されていることを特徴とする請求項１に記載のファクシミリ機に存する。
請求項３記載の発明の要旨は、前記特定の受信先の電話番号は、不揮発性メモリに記憶されていることを特徴とする請求項１又は２に記載のファクシミリ機に存する。
請求項４記載の発明の要旨は、前記特定の受信先へ送信されるデータは、暗号化されていることを特徴とする請求項１乃至３のいずれかに記載のファクシミリ機に存する。
請求項５記載の発明の要旨は、特定の送信元に設けられ、特定の受信先１ヶ所にのみ送信可能に構成された少なくとも１台の第１のファクシミリ機と、
前記特定の受信先に設けられ、前記少なくとも１台の第１のファクシミリ機から送信されるデータを受信可能に構成された１台の第２のファクシミリ機と
を有することを特徴とする機密情報送受信システムに存する。
請求項６記載の発明の要旨は、前記少なくとも１台の第１のファクシミリ機は、前記特定の受信先が予め設定され、前記少なくとも１台の第１のファクシミリ機の利用者による変更を拒絶するように構成されていることを特徴とする請求項５に記載の機密情報送受信システムに存する。
請求項７記載の発明の要旨は、前記特定の受信先の電話番号は、不揮発性メモリに記憶されていることを特徴とする請求項５又は６記載の機密情報送受信システムに存する。
請求項８記載の発明の要旨は、前記第２のファクシミリ機へ送信されるデータは、暗号化されていることを特徴とする請求項５乃至７のいずれかに記載の機密情報送受信システムに存する。
請求項９記載の発明の要旨は、特定の送信元に設けられ、特定の受信先１ヶ所にのみ送信可能に構成された少なくとも１台の第１のファクシミリ機と、
前記特定の受信先に設けられ、前記少なくとも１台の第１のファクシミリ機から送信されるデータを受信可能に構成された１台の第２のファクシミリ機と
を用いた機密情報の送受信方法に存する。
請求項１０記載の発明の要旨は、前記少なくとも１台の第１のファクシミリ機は、前記特定の受信先が予め設定され、前記少なくとも１台の第１のファクシミリ機の利用者による変更を拒絶するように構成されていることを特徴とする請求項９に記載の機密情報の送受信方法に存する。
請求項１１記載の発明の要旨は、前記特定の受信先の電話番号は、不揮発性メモリに記憶されていることを特徴とする請求項９又は１０に記載の機密情報の送受信方法に存する。
請求項１２記載の発明の要旨は、前記第２のファクシミリ機へ送信されるデータは、暗号化されていることを特徴とする請求項９乃至１１のいずれかに記載の機密情報の送受信方法に存する。
【発明の効果】
【０００５】
本発明のファクシミリ機は、受信先として設定できるのが１ヶ所のみであり、受信先を容易に変更できないため、誤送信が不可能であるという顕著な効果を奏する。また、本発明のファクシミリ機を利用することで、個人情報取扱業者は書類の受け渡しを安全に行うことが可能となり、従来のような直接訪問による受け渡しより業務を効率化できるという顕著な効果を奏する。
【発明を実施するための最良の形態】
【０００６】
以下に、図を参照しつつ本発明の実施形態を詳細に説明する。
なお、本発明はこれら実施の形態に限定されるものではなく、その要旨を逸脱しない範囲において、当業者の想到し得る程度に変形、変更して実施可能である。
【０００７】
＜第１の実施形態＞
図１に本発明の第１の実施形態を示す。本実施形態の第１のファクシミリ機１０は、不揮発性メモリである受信先記憶手段１１を具備している。この受信先記憶手段１１には、予め特定の受信先１ヶ所が記憶されている。本実施形態の第１のファクシミリ機１０は受信先変更手段１２も具備してはいるが、この受信先変更手段１２による受信先の変更は、利用者には変更不可能となっており、第１のファクシミリ機１０の納入業者などのみがこの受信先変更手段１２を操作可能である。この利用者による変更を受け付けない構成は、受信先変更手段１２の操作部が鍵などによって物理的に封印されていても、またセキュリティ用の認証トークンによる認証ロックなどのソフトウェア的封印であっても良く、第１のファクシミリ機１０の利用者が受信先を変更できない構成であればどのような構成であっても良い。
【０００８】
上記の第１のファクシミリ機１０は、一般公衆電話網や私設電話網、ＩＰ電話網といったネットワーク３０を介して、第２のファクシミリ機２０と接続される。第１のファクシミリ機１０は、複数の設置場所に、同じ受信先を設定されている複数台が存在していても良い。第２のファクシミリ機２０は、上記の第１のファクシミリ機の具備する受信先記憶手段１１に記憶されている唯一の受信先である。この第１のファクシミリ機１０、第２のファクシミリ機２０、ネットワーク３０から、本実施形態の機密情報送受信システムは構成される。
【０００９】
第１のファクシミリ機１０は、受信先としては特定の予め設定された１ヶ所しか記憶されておらず、他への送信が不可能なため、この第１のファクシミリ機１０からの送信データは誤送信されることなく、確実に受信先に送信されることとなる。
【００１０】
セキュリティ上の観点から、上記の送信データは暗号化されていることが好ましい。暗号化の具体的方法としては、送信データを暗号化／復号化できる方法であればどのようなものでも良く、この場合は暗号化／復号化手段を第１のファクシミリ機１０及び第２のファクシミリ機２０が具備している。
【００１１】
本実施形態のファクシミリ機を用いた情報の送受信は、誤送信の可能性が排除されており、セキュリティが保たれた文書の受け渡しが可能となるため、個人情報取扱業者の文書送達に好適であり、個人情報保護法施行への対策、およびセキュリティ確保に顕著な効果を奏する。
【産業上の利用可能性】
【００１２】
本発明に係るファクシミリ機、機密情報送受信システム、機密情報送受信方法は、受信先が唯一１ヶ所に予め設定されており、この受信先は利用者が変更不可能であって、誤送信の可能性を排除しているため、セキュリティ面での情報漏洩の心配なく、安心して機密情報の受け渡しに利用できる。従って、損害保険・生命保険等調査会社に代表されるような個人情報取扱業者が、機密情報の受け渡しに直接依頼先を訪問する必要が無くなり、経費削減に大きく貢献できる。また、機密情報を扱う部署など部外者の立ち入りが好ましくない環境に導入することで、部外者の立ち入りを無くすことができ、セキュリティ向上に寄与することができる。
【図面の簡単な説明】
【００１３】
【図１】本発明の実施形態のファクシミリ機及び機密情報送受信システムの説明図
【符号の説明】
【００１４】
１０  第１のファクシミリ機
１１  受信先記憶手段
１２  受信先変更手段
２０  第２のファクシミリ機
３０  ネットワーク
【図１】
2007116401.tif 000003